(57)【要約】      （修正有）【課題】パワーポイント等に白ベースの画面ではなく黒（暗色）ベースの画面を用いることが主流となってきているが、そのような場合でも鮮やかな表示が可能であるプレゼンテーション用ボードを提供する。【解決手段】ホワイトボード面２とともに映写用スクリーンとしてのブラックボード面３とを備えたことを特徴とする。【選択図】図１
0003195429.tif 000002
【実用新案登録請求の範囲】
【請求項１】
ホワイトボード面とともに映写用スクリーンとしてのブラックボード面とを備えたプレゼンテーション用ボード。
【請求項２】
ボード面が複数に分割されており、それぞれにホワイトボード面とともに映写用スクリーンとしてのブラックボード面とを備えた請求項１に記載のプレゼンテーション用ボード。
【請求項３】
複数に分割されたボードの接合面及びボードの接合面とは反対側の端面が斜めまたは段差をもって係合することにより、接合時のボード表面に平滑になるようにした請求項２に記載のプレゼンテーション用ボード。
【請求項４】
前記ブラックボード面及び／またはホワイトボード面の少なくとも一部が平面ディスプレイである請求項１〜３のいずれかに記載のプレゼンテーション用ボード。
【請求項５】
前記ブラックボード面及び／またはホワイトボード面の一部のみが平面ディスプレイである請求項１〜４のいずれかに記載のプレゼンテーション用ボード。
【考案の詳細な説明】
【技術分野】
【０００１】
本考案は、ホワイトボードと映写用スクリーンとしてのブラックボードを兼ねたプレゼンテーション用ボードに関する。
【背景技術】
【０００２】
ビジネスシーンにおけるプレゼンテーション等では、ホワイトボード上に種々の色・太さのフェルトペンを用いて文字や絵を描くことが多い。また、プレゼンテーション等ではプロジェクターを用いて動画やパワーポイント等の画面を映写して用いることも多いが、この場合、ホワイトボードは映写用のスクリーンとしても使われている。
【考案の概要】
【考案が解決しようとする課題】
【０００３】
しかし、ホワイトボード表面にプロジェクターを用いて映写した場合、表面のぎらつきが問題になることも多い。また、ホワイトボード表面には繰り返し文字等が描かれるため経時的に表面に凹凸が生じてしまう。さらに、欧米などでは、最近、パワーポイント等に白ベースの画面ではなく黒（暗色）ベースの画面を用いることが主流となってきており、ホワイトボードを映写スクリーンとして用いると鮮やかな表示が難しい。
【０００４】
このため、簡単に低コストで製造でき、なおかつ、パワーポイント等の鮮明な表示を実現できるプレゼンテーション用ボードが求められている。
【課題を解決するための手段】
【０００５】
本考案者は、上記の課題を解決する手段として映写用スクリーンとしてのブラックボードを兼ねたホワイトボードが有用であることを見出し、本考案を完成した。すなわち、本考案は以下のプレゼンテーション用ボードを提案する。
［１］ホワイトボード面とともに映写用スクリーンとしてのブラックボード面とを備えたプレゼンテーション用ボード。
［２］ボード面が複数に分割されており、それぞれにホワイトボード面とともに映写用スクリーンとしてのブラックボード面とを備えた前記［１］に記載のプレゼンテーション用ボード。
［３］複数に分割されたボードの接合面及びボードの接合面とは反対側の端面が斜めまたは段差をもって係合することにより、接合時のボード表面に平滑になるようにした前記［２］に記載のプレゼンテーション用ボード。
［４］
前記ブラックボード面及び／またはホワイトボード面の少なくとも一部が平面ディスプレイである前記［１］〜［３］のいずれかに記載のプレゼンテーション用ボード。
［５］
前記ブラックボード面及び／またはホワイトボード面の一部のみが平面ディスプレイである前記［１］〜［４］のいずれかに記載のプレゼンテーション用ボード。
【考案の効果】
【０００６】
本考案によれば、プロジェクターを用いて映写した場合、表面のぎらつきが問題になることがない。また、経時的な表面劣化が少ない映写面を提供できる。さらに、欧米などでは、最近、パワーポイント等に白ベースの画面ではなく黒（暗色）ベースの画面を用いることが主流となってきているが、そのような場合でも鮮やかな表示が可能である。
【図面の簡単な説明】
【０００７】
【図１】プレゼンテーション用ボードの第一の態様の構造を示す模式図。
【図２】プレゼンテーション用ボードの第二の態様の構造を示す模式図。
【図３】プレゼンテーション用ボードの第三の態様の構造を示す模式図。
【図４】プレゼンテーション用ボードの接合部の構造を示す模式的断面図。
【図５】プレゼンテーション用ボードの第四の態様の構造を示す模式図。
【考案を実施するための形態】
【０００８】
以下、図面を参照して本考案をより詳細に説明する。
図１に示すように、本考案は以下のプレゼンテーション用ボード１はホワイトボード２とブラックボード面３を有する。
【０００９】
図１（ａ）にはホワイトボード２が表面（聴衆側）を向いた状態を示すが、これは例えば、支持部４ａと４ｂによって回転可能に軸支されており、１８０度回転することにより図１（ｂ）に示すようなブラックボード面３が表面（聴衆側）を向いた状態となる。ここで、ホワイトボード２はフェルトペン等で文字や図形等を描くことが可能であり、従って、図１（ａ）の状態ではリアルタイムに文字や線画等を描きながら説明を行い、ボードを回転させて図１（ｂ）の状態ではパワーポイント等の投影を行うことが可能である。ブラックボード面３は投影専用の面であるため、黒（暗色）ベースのパワーポイント等を投影しても極めて鮮明な表現が可能である。
【００１０】
なお、図１では支持脚５ａと５ｂによりボードは支持されており、その下部に設けた足部（図示していない）を介して床等に立てることになるが、ボードの支持方法は特に限定されず、天井から吊るす方式でもよいし、壁等から支えるものでもよい。
【００１１】
また、図２に示すように、例えば、ボードの下に支持脚５ａと５ｂをつなぐ棚部６を設けておけば、ホワイトボードでの説明時に使用したフェルトペンやイレイサーが邪魔にならないようにボードを回転できる。
【００１２】
図１では、ボード全体を回転するものとしているが、ボード領域を複数の領域に分けてそれぞれ回転できるようにしてもよい。例えば、図３は本発明のボードを２つの領域１１ａと１１ｂに分けた例である。
【００１３】
図３（ａ）ではホワイトボード１２ａと１２ｂはどちらも表面（聴衆側）を向いた状態を示すが、図３（ｂ）ではホワイトボード１２ａのみ反転されてブラックボード面１３（ａ）が表面（聴衆側）を向いている。ホワイトボード１２ｂはもとのままである。図３（ｃ）ではホワイトボード１２ａと１２ｂはどちらも反転されてブラックボード面１３ａとブラックボード面１３ｂが表面（聴衆側）を向いている。
【００１４】
このような構成ではボードの回転半径が図１の構成の半分になるので、狭い場所でも容易に利用できる。なお、一般的には縦回転が好ましいと思われるが、ボードを横方向に分割し横回転できるようにしてよい。
【００１５】
また、この際、投影時や筆記時に切れ目が生じないように、ボード１１ａと１１ｂの接合面１５とそれとは反対側の端面（１８０度反転した際に接合面となる）１６は斜めにしたり段差を設けておくことが好ましい。図４（ａ）は斜めの接合面を設けた例であり、図４（ｂ）は段差を設けた接合面とした例である（端面１６の図示は省略）。
【００１６】
ホワイトボードの材料は既存のものを利用できる。例えば、アルミ板等の金属板やポリエチレンテレフタレート等のようなポリエステル、ポリ塩化ビニル、アクリル樹脂等の合成樹脂の基材表面にメラミン系樹脂層や含フッ素系樹脂層の如き表面層を設けた構造を有するものが挙げられる。
【００１７】
あるいは、ポリウレタン、ポリエチレン、ポリスチレン、ゴム材料等の発泡体を基材として用い、ポリエチレン、ポリプロピレン、ポリエステル、ポリ塩化ビニル、ポリ塩化ビニリデン、ポリカーボネート、ポリスチレン、ポリアミド等の合成樹脂を表面に用いてもよい。以上は筆記をしやすくすることを念頭に置いているが、ホワイトボードとブラックボードの両方を投影用に用いることももちろん可能である。
【００１８】
また、本発明でいうブラックボードとは、従来のいわゆる「黒板」とは異なり、パワーポイント等の投影・映写用スクリーンとして機能するものである。従って、投影時に暗色と明色をコントラストよく表示できればよく、材質等に限定はない。また、「ブラックボード」と称しているが、純正の黒の他、濃紺、濃紫、濃茶等、暗色ベースでの表示に適したものであればよい。
【００１９】
さらに、ブラックボード面及び／またはホワイトボード面の一部または全部は平面ディスプレイでもよい。図５はブラックボード面の一部を平面ディスプレイ７としたものである。図では便宜上、灰色として示しているが、実際にはブラックボード面上に設けた場合はブラックボード面と均一な暗色面とできる。また、ホワイトボード面上に設けた場合は白出力状態とすればホワイトボードの一部として利用できる。
【００２０】
このような画面は、パワーポイント等を全面的に使用しない場合や、例えば、ＱＲコードやＡＲマーカー等を聴衆に対して示す際に有利である。もちろん、その他、任意の画面表示方法として利用できる。
【符号の説明】
【００２１】
１…プレゼンテーション用ボード
２…ホワイトボード面
３…ブラックボード面
【図１】
0003195429.tif 000003
【図２】
0003195429.tif 000004
【図３】
0003195429.tif 000005
【図４】
0003195429.tif 000006
【図５】
0003195429.tif 000007